【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
演出画像の表示を行う画像表示手段を備える遊技機であって、
動作を行う可動演出手段と、
前記画像表示手段の表示動作を制御する表示制御手段と、
複数種類の演出画像に対応した複数種類の画像データを記憶する画像データ記憶手段と、
前記表示制御手段からの制御指令と、前記画像データ記憶手段から読み出した画像データとに基づいて前記画像表示手段における画像の表示用データを作成した後、当該表示用データに基づいて前記画像表示手段に演出画像を表示させる画像データ処理手段とを備え、
前記画像データ処理手段は、
前記画像データ記憶手段から読み出された画像データを一時記憶可能な一時記憶手段と、
前記一時記憶手段における記憶領域を、所定の記憶領域を含む複数の領域に設定する記憶領域設定手段と、
画像データに基づき表示用データを作成する表示用データ作成手段と、
前記表示用データ作成手段により作成された表示用データを一時記憶する表示用データ記憶手段と、
前記表示用データ記憶手段に一時記憶された表示用データに基づき前記画像表示手段に画像を表示させる表示用データ処理手段とを含み、
前記表示制御手段は、画像データの読出位置及び書込位置を前記画像データ処理手段が特定可能に前記画像表示手段における演出画像の更新を指令する演出画像更新指令手段を含み、
前記表示用データ作成手段は、前記演出画像更新指令手段からの指令により特定された画像データの読出位置が前記画像データ記憶手段に含まれる場合に、前記画像データ記憶手段における読出位置から画像データを読み出して前記一時記憶手段における前記所定の記憶領域に転送した後、当該所定の記憶領域から画像データを読み出して前記表示用データ記憶手段における書込位置に書き込んで記憶させるデータ書込処理手段を含み、
前記画像データ処理手段は、前記可動演出手段の動作に応じて、異なる表示態様で前記画像表示手段に演出画像を表示させ、
前記可動演出手段は、前記画像表示手段の表示領域と重複する位置で動作可能である、
ことを特徴とする遊技機。
【手続補正２】
【補正対象書類名】明細書
【補正対象項目名】０００１
【補正方法】変更
【補正の内容】
【０００１】
本発明は、演出画像の表示を行う画像表示手段を備える遊技機に関する。
【手続補正３】
【補正対象書類名】明細書
【補正対象項目名】０００７
【補正方法】変更
【補正の内容】
【０００７】
特許文献１に記載された技術では、プログラム設計の負担が増大するおそれがあった。
【手続補正４】
【補正対象書類名】明細書
【補正対象項目名】０００８
【補正方法】変更
【補正の内容】
【０００８】
また、特許文献２に記載された技術でも、プログラム設計の負担が増大するおそれがあった。
【手続補正５】
【補正対象書類名】明細書
【補正対象項目名】０００９
【補正方法】変更
【補正の内容】
【０００９】
この発明は、上記実状に鑑みてなされたものであり、プログラム設計の負担を軽減することができる遊技機を提供することを目的とする。
【手続補正６】
【補正対象書類名】明細書
【補正対象項目名】００１０
【補正方法】変更
【補正の内容】
【００１０】
（１）上記目的を達成するため、本願の請求項に係る遊技機は、演出画像の表示を行う画像表示手段（例えば画像表示装置５など）を備える遊技機（例えばパチンコ遊技機１など）であって、動作を行う可動演出手段（例えばスライド板５２など）と、前記画像表示手段の表示動作を制御する表示制御手段（例えば演出制御用マイクロコンピュータ１２０のＣＰＵ１３１など）と、複数種類の演出画像に対応した複数種類の画像データを記憶する画像データ記憶手段（例えば画像データメモリ１４２など）と、前記表示制御手段からの制御指令と、前記画像データ記憶手段から読み出した画像データとに基づいて前記画像表示手段における画像の表示用データを作成した後、当該表示用データに基づいて前記画像表示手段に演出画像を表示させる画像データ処理手段（例えばＶＤＰ１４１など）とを備え、前記画像データ処理手段は、前記画像データ記憶手段から読み出された画像データを一時記憶可能な一時記憶手段（一時記憶メモリ１５６など）と、前記一時記憶手段における記憶領域を、所定の記憶領域（例えば可変アドレスエリア１５６Ｂなど）を含む複数の領域に設定する記憶領域設定手段（例えばＣＰＵ１３１によるステップＳ５２やステップＳ３０４の記憶領域設定指令処理に応じて、転送制御回路１５２がステップＳ６０３の記憶領域設定処理を実行する部分など）と、画像データに基づき表示用データを作成する表示用データ作成手段（例えば転送制御回路１５２がステップＳ６０５の事前転送処理やステップＳ６０７の自動転送制御処理を実行する部分、描画回路１５５など）と、前記表示用データ作成手段により作成された表示用データを一時記憶する表示用データ記憶手段（例えばフレームバッファメモリ１５７など）と、前記表示用データ記憶手段に一時記憶された表示用データに基づき前記画像表示手段に画像を表示させる表示用データ処理手段（例えば表示回路１５８など）とを含み、前記表示制御手段は、画像データの読出位置及び書込位置を前記画像データ処理手段が特定可能に前記画像表示手段における演出画像の更新を指令する演出画像更新指令手段（例えばＣＰＵ１３１がステップＳ４２６、Ｓ４３０の処理を実行する部分など）を含み、前記表示用データ作成手段は、前記演出画像更新指令手段からの指令により特定された画像データの読出位置が前記画像データ記憶手段に含まれる場合に、前記画像データ記憶手段における読出位置から画像データを読み出して前記一時記憶手段における前記所定の記憶領域に転送した後、当該所定の記憶領域から画像データを読み出して前記表示用データ記憶手段における書込位置に書き込んで記憶させるデータ書込処理手段（例えば転送制御回路１５２がステップＳ６３１〜Ｓ６３５の処理を実行する部分、描画回路１５５がステップＳ７０５の自動転送描画処理を実行する部分など）を含み、前記画像データ処理手段は、前記可動演出手段の動作に応じて、異なる表示態様で前記画像表示手段に演出画像を表示させ、前記可動演出手段は、前記画像表示手段の表示領域と重複する位置で動作可能であることを特徴とする。
【手続補正７】
【補正対象書類名】明細書
【補正対象項目名】００１１
【補正方法】変更
【補正の内容】
【００１１】
このような構成によれば、プログラム設計の負担を軽減することができる。
【手続補正８】
【補正対象書類名】明細書
【補正対象項目名】００１２
【補正方法】変更
【補正の内容】
【００１２】
（２）上記（１）の遊技機において、前記可動演出手段は、前記画像表示手段における前記識別情報の表示領域（例えば画像表示装置５の表示画面に配置された「上」、「中」、「下」の可変表示部など）に重なる進出位置（例えば図３（Ｂ）や図４（Ｂ）に示す進出時の位置など）と前記表示領域には重ならない退避位置（例えば図３（Ａ）や図４（Ａ）に示す退避時の位置など）との間で移動可能であり、前記識別情報の可変表示を開始した後、前記識別情報の可変表示態様が前記画像表示手段における前記表示領域の外部に掛かる所定位置（例えば画像表示装置５の表示画面上における表示位置ＡＲ１など）で前記識別情報の一部が前記表示領域の外にありながら所定態様（例えば「上」、「中」、「下」の各可変表示部で飾り図柄の一部が枠外にありながら大当り組合せの飾り図柄が仮停止表示された場合や、「上」と「下」の可変表示部で同一の飾り図柄の一部が枠外にありながら仮停止表示されて飾り図柄の可変表示態様がリーチとなった場合、あるいは、「中」と「下」の可変表示部では同一の飾り図柄が枠内で仮停止表示される一方で「上」の可変表示部では大当り組合せを構成する飾り図柄の一部が枠外にありながら仮停止表示された場合など）となったことに基づき、前記可動演出手段を前記退避位置と前記進出位置との間で移動させる動作と連動した前記識別情報の演出表示（例えばスーパーＡの可変表示パターンに対応して実行される図５２（Ｂ）及び（Ｃ）に示すような飾り図柄の演出表示など）を行うことにより前記所定態様となった識別情報を前記表示領域の外部に掛からない所定位置に移動させてから、前記識別情報の可変表示結果を導出表示する連動演出制御手段（例えば遊技制御用マイクロコンピュータ１００のＣＰＵ１１４がステップＳ２３０にて送信設定を行った可変表示開始コマンドに基づき、演出制御用マイクロコンピュータ１２０のＣＰＵ１３１がステップＳ３２８にて設定した演出制御パターンに従いステップＳ３４５の演出制御指令処理にてステップＳ４０７の処理やステップＳ４１１の画像要素更新指令処理を実行する部分、ステップＳＴ２１、ＳＴ２２の処理を実行する部分など）をさらに備えてもよい。また、前記可動演出手段には、透光性を有する透光演出領域（例えば透光部５２Ａ、５２Ｂなど）が設けられ、前記連動演出制御手段は、前記透光演出領域の移動に対応する演出画像を、前記画像表示手段において前記透光演出領域と重なる位置に表示する透光演出制御手段（例えば透光予告Ａ−１〜Ａ−４の予告パターンに対応して、ＣＰＵ１３１がステップＳ３２８にて設定した演出制御パターンに従いステップＳ３４５の演出制御指令処理にてステップＳ４１１の画像要素更新指令処理を実行する部分など）を含んでもよい。なお、画像表示手段において表示される演出画像は、各々が識別可能な複数種類の識別情報を含み、可変表示の実行条件が成立した後に可変表示の開始条件が成立したことに基づき、前記識別情報を可変表示して、当該可変表示の表示結果が予め定められた特定表示結果となった後に遊技者にとって有利な特定遊技状態とする遊技機であってもよい。
【手続補正９】
【補正対象書類名】明細書
【補正対象項目名】００１３
【補正方法】変更
【補正の内容】
【００１３】
このような構成において、連動演出制御手段は、識別情報の可変表示を開始した後、識別情報の可変表示態様が画像表示手段における表示領域の外部に掛かる所定位置で識別情報の一部が表示領域の外にありながら所定態様となったことに基づき、表示領域に重なる進出位置と重ならない退避位置との間で移動可能な可動演出手段を移動させる動作と連動した識別情報の演出表示を行うことにより、所定態様となった識別情報を表示領域の内に移動させてから、識別情報の可変表示結果を導出表示する。
これにより、可動演出手段の動作により識別情報の可変表示における演出効果を高めて、遊技の興趣を向上させることができる。
また、透光演出制御手段が、可動演出手段に設けられて透光性を有する透光演出領域の移動に対応する演出画像を、画像表示手段において透光演出領域と重なる位置に表示する。
これにより、画像表示手段に表示する演出画像により可動演出手段での演出態様を変化させて演出効果を高め、遊技の興趣を向上させることができる。
【手続補正１０】
【補正対象書類名】明細書
【補正対象項目名】００１６
【補正方法】変更
【補正の内容】
【００１６】
（４）上記（１）〜（３）のいずれかの遊技機においては、複数種類の動画像に対応した圧縮データからなる複数種類の動画像データを記憶する動画像データ記憶手段（例えば画像データメモリ１４２の動画像データエリア１４２Ｂなど）と、前記動画像データ記憶手段から読み出した圧縮データとしての動画像データをデコードして、前記画像表示手段における画像の表示用データを作成するための処理を実行する動画像データ処理手段（例えば動画像用デコーダ１５４など）と、前記動画像データ処理手段により作成された表示用データを一時記憶する動画表示用データ記憶手段（例えばフレームバッファメモリ１５７など）と、前記動画表示用データ記憶手段に一時記憶された表示用データに基づき前記画像表示手段に動画像を表示させる動画像表示制御手段（例えば表示回路１５８など）とを備え、前記動画像データ処理手段は、前記画像表示手段における画像フレーム周期の経過に対応して、画像フレーム周期の整数倍となる同一時間長を有する第１書込周期と第２書込周期のうち第１書込周期が経過したときに、前記動画像データ記憶手段から読み出した複数種類の動画像データごとに作成される複数種類の表示用データのうち第１動画像データに対応した表示用データを前記動画表示用データ記憶手段に書き込んで記憶させ、第１書込周期が経過した次の画像フレーム周期にて経過する第２書込周期が経過したときに、前記複数種類の表示用データのうち第１動画像データとは異なる第２動画像データに対応した表示用データを前記動画表示用データ記憶手段に書き込んで記憶させることにより、前記画像表示手段における複数の表示領域ごとに異なる複数種類の動画像を表示させるマルチ動画像データ処理手段（例えば動画像用デコーダ１５４がステップＳＴ１６〜ＳＴ１９の処理を実行することにより、図５２（Ｂ）に示すような展開タイミングで動画像Ａ１及び動画像Ａ２の表示用データをフレームバッファメモリ１５７に書き込んで記憶させる部分など）を含む。
【手続補正１１】
【補正対象書類名】明細書
【補正対象項目名】００１７
【補正方法】変更
【補正の内容】
【００１７】
このような構成においては、マルチ動画像データ処理手段が、画像表示手段における画像フレーム周期の経過に対応して、画像フレーム周期の整数倍となる同一時間長を有する第１書込周期と第２書込周期のうち第１書込周期が経過したときに、動画像データ記憶手段から読み出した複数種類の動画像データごとに作成される複数種類の表示用データのうち第１動画像データに対応した表示用データを動画表示用データ記憶手段に書き込んで記憶させ、第１書込周期が経過した次の画像フレーム周期にて経過する第２書込周期が経過したときに、複数種類の表示用データのうち第１動画像データとは異なる第２動画像データに対応した表示用データを動画表示用データ記憶手段に書き込んで記憶させることにより、画像表示手段における複数の表示領域ごとに異なる複数種類の動画像を表示させる。
これにより、画像フレーム周期の経過に対応して複数種類の動画像データごとに作成される複数種類の表示用データをすべて動画表示用データ記憶手段に書き込んで記憶させる場合に比べて、動画像の表示に要する処理負担を軽減することができ、動画像を表示する演出の欠落を防止することができる。また、複数種類の動画像に対応した複数種類の動画像データは、表示用データの作成に用いられる部分だけを用意すればよいので、データ容量を低減することができる。
【手続補正１２】
【補正対象書類名】明細書
【補正対象項目名】００１８
【補正方法】変更
【補正の内容】
【００１８】
（５）上記（１）〜（４）のいずれかの遊技機において、前記画像データ記憶手段が記憶する画像データは、前記画像表示手段に対応した画素総数に比べて少ない画素数に対応して構成された第１画像データ（例えばスプライト画像データエリア１４２Ａに記憶されたＳＶＧＡ用のスプライト画像データＳＰ０１−０１〜ＳＰ０１−ＸＸなど）と、第１画像データの対応する画素数とは異なり、前記画像表示手段に対応した画素総数に比べて少ない画素数に対応して構成された第２画像データ（例えばスプライト画像データエリア１４２Ａに記憶されたＶＧＡ用のスプライト画像データＳＰ０２−０１〜ＳＰ０２−ＸＸなど）とを含み、前記画像データ処理手段は、前記表示用データ作成手段により作成された表示用データに対応する演出画像を所定の拡大率で拡大して前記画像表示手段に対応した画素総数の演出画像として前記画像表示手段に表示させる拡大表示処理手段（例えば表示回路１５８など）を含み、前記表示制御手段は、所定の画像切替条件（例えば飾り図柄の可変表示態様がリーチとなることなど）が成立することにより、前記画像表示手段に表示させる演出画像を、第１画像データに対応した演出画像と第２画像データに対応した演出画像との間で切り替える旨の決定を行う演出画像切替決定手段（例えばＣＰＵ１３１がステップＳ４０９の処理を実行する部分など）と、前記演出画像切替決定手段による決定結果に対応して、前記拡大表示処理手段における演出画像の拡大率を変更させる画像切替時拡大率変更手段（例えばＣＰＵ１３１がＳ４１０の処理を実行する部分など）と、前記演出画像切替決定手段による決定結果に対応して、前記画像データ記憶手段から読み出す画像データを、第１画像データと第２画像データとの間で変更させる画像切替時読出データ変更手段（例えばＣＰＵ１３１がステップＳ４１０の処理を実行した後に、ステップＳ４１１の画像要素更新指令処理を実行する部分など）とを含む。
【手続補正１３】
【補正対象書類名】明細書
【補正対象項目名】００２０
【補正方法】変更
【補正の内容】
【００２０】
（６）上記（１）〜（３）のいずれかの遊技機において、前記画像データ記憶手段は、複数種類の動画像に対応した圧縮データからなる複数種類の動画像データを記憶する動画像データ記憶手段（例えば画像データメモリ１４２のメモリチップ１４２−３など）と、複数種類の演出画像に対応した複数種類のスプライト画像データを記憶するスプライト画像データ記憶手段（例えば画像データメモリ１４２のメモリチップ１４２−１、１４２−２など）とを含み、前記画像データ処理手段は、前記表示制御手段からの制御指令と、前記動画像データ記憶手段から読み出した動画像データまたは前記スプライト画像データ記憶手段から読み出したスプライト画像データとに基づいて、前記画像表示手段における画像の表示用データを作成した後、当該表示用データに基づいて前記画像表示手段に各種画像を表示させる画像データ処理手段（例えばＶＤＰ１４１など）とを備え、前記表示制御手段は、前記画像データ処理手段が前記動画像データ記憶手段から動画像データを読み出す際のデータバス幅を、第１のバス幅に設定する第１バス幅設定手段（例えばＣＰＵ１３１がステップＳ４４２の処理を実行する部分など）と、前記画像データ処理手段が前記スプライト画像データ記憶手段からスプライト画像データを読み出す際のデータバス幅を、第２のバス幅に設定する第２バス幅設定手段（例えばＣＰＵ１３１がステップＳ４４３の処理を実行する部分など）とを含み、前記画像データ処理手段は、前記第１バス幅設定手段により第１のバス幅に設定されたことに対応して、前記動画像データ記憶手段から動画像データを読み出して表示用データを作成する一方で（例えば転送制御回路１５２がステップＳ６０５の事前転送処理やステップＳ６０７の自動転送制御処理を実行した後に、描画回路１５５がステップＳ７０３の固定アドレス指定描画処理やステップＳ７０５の自動転送描画処理を実行する部分など）、前記第２バス幅設定手段により第２のバス幅に設定されたことに対応して、前記スプライト画像データ記憶手段からスプライト画像データを読み出して表示用データを作成する（例えば動画像用デコーダ１５４がＳ７５１〜Ｓ７５３の処理を実行する部分など）。
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】